(57)【要約】【課題】アンテナ部と回路が備えられた基部により構成されるアンテナ装置を、取り付けの際には一体型とし、分離して取り外し可能とする。【解決手段】筒状をなしたアンテナ部１１と、このアンテナ部１１を介して取り込む信号または送出する信号に対して処理を行う回路が設けられ、アンテナ部１１と接続されることによって１本の棒の如く構成される基部１２とを有し、アンテナ部１１と基部１２とをクランプ６により着脱可能に結合した。【選択図】　図１
2004056248.tif 000002
【特許請求の範囲】
【請求項１】
筒状をなしたアンテナ部と、
このアンテナ部を介して取り込む信号または送出する信号に対して処理を行う回路が設けられ、前記アンテナ部と接続されることによって１本の棒の如く構成される基部とを有し、
前記アンテナ部と前記基部とをクランプにより着脱可能に結合したことを特徴とするアンテナ装置。
【請求項２】
前記アンテナと前記基部とが結合するそれぞれの結合面の一方の面には、頭部を有するピンが突設され、前記それぞれの結合面の他方の面には、前記頭部より大きな大径部と前記頭部より小さな小径部とが連通した穴部が形成され、
前記穴部に前記ピンを挿入して前記基部を回転することにより施錠される施錠装置が設けられていることを特徴とする請求項１に記載のアンテナ装置。
【発明の詳細な説明】
【０００１】
【発明の属する技術分野】
この発明は、例えば無線基地局に設けられるアンテナ装置に関し、更に詳しくは、アンテナ部と、電波を増幅するなどの処理を行う回路を設けた基部とを一体型に構成したアンテナ装置に関するものである。
【０００２】
【従来の技術】
従来のこの種のアンテナ装置においては、アンテナ部と回路を備える基部とが一体型に構成され、ビルの屋上などに据付工事を短時間で済ませることができ、しかも省スペース化を実現するように構成されている。
【０００３】
従来の一体型のアンテナ装置では、アンテナ部と回路のいずれか一方が故障の場合に、アンテナ装置を一体として取り外し、これらを解体しなければならず不便であった。また、アンテナ装置は所望の通信エリアを確保する目的により、据付工事の際に角度調整などの位置付けを行っており、アンテナ装置を一体として取り外すと、再度の調整が必要となっていた。
【０００４】
【発明が解決しようとする課題】
本発明は上記のような従来のアンテナ装置が有する問題点を解決せんとしてなされたもので、その目的は、アンテナ部と回路を備える基部とが一体型でありながら、基部をアンテナ部とは別に取り外しすることができ、保守作業の効率化を図ることが可能なアンテナ装置を提供することである。
【０００５】
【課題を解決するための手段】
本発明係るアンテナ装置は、筒状をなしたアンテナ部と、このアンテナ部を介して取り込む信号または送出する信号に対して処理を行う回路が設けられ、前記アンテナ部と接続されることによって１本の棒の如く構成される基部とを有し、前記アンテナ部と前記基部とをクランプにより着脱可能に結合したことを特徴とする。
【０００６】
本発明係るアンテナ装置は、前記アンテナと前記基部とが結合するそれぞれの結合面の一方の面には、頭部を有するピンが突設され、前記それぞれの結合面の他方の面には、前記頭部より大きな大径部と前記頭部より小さな小径部とが連通した穴部が形成され、前記穴部に前記ピンを挿入して前記基部を回転することにより施錠される施錠装置が設けられていることを特徴とする。
【０００７】
【発明の実施の形態】
以下添付図面を参照して、本発明のアンテナ装置の一実施例を説明する。図１に示すように、本発明のアンテナ装置１は、円筒状をなしたアンテナ部１１と、基部１２と、連結部１３とを備え、一体化されている。アンテナ部１１の周縁部には、先端部においてループして戻るアーム３１が取り付けられている。このアーム３１はビルの屋上などに設置されたポール２を半周してアンテナ部１１の周縁部に戻る状態とされている。
【０００８】
アーム部３１の一部はネジが形成され、アーム部３１は板状の取付金具３２の穴に遊挿されている。上記ネジの部分に設けられたナット３３を締め付けることにより、取付金具３２がポール２の側面部を押圧し、アンテナ装置１をポール２に取り付けることができる。
【０００９】
図２に示すように、アンテナ装置１は、円盤状の連結部１３を介して基部１２と結合されるように構成されている。連結部１３は断面が図３に示されるようであり、アンテナ部１１の底部は図４に示されるように円面２１にネジ穴２２が形成されている。連結部１３は、アンテナ部１１の円面２１側からネジ２３により取り付けられる。
【００１０】
連結部１３の外周部には、フック１４が取り付けられており、これに対応して基部１２の外周部には、レバー１６が軸１７を中心に回動して環１５を移動させるように構成されて設けられ、これらはクランプ６を構成している。レバー１６は解錠の状態と施錠の状態を保持するようにバネ１８により付勢されている。
【００１１】
基部１２の上面には、図３及び図６に示されるように頭部４１を有するピン４２が突設されている。一方、連結部１３の仕切面における中央部には、頭部４１より大きな大径部４３と上記頭部４１より小さな小径部４４とが連通した穴部４５が形成されている。また、連結部１３の仕切面における周囲部分には、ネジ２３を挿入する穴４６が穿設されている。
【００１２】
そして、連結部１３の仕切面に形成された穴部４５に、基部１２の上面に形成されたピン４２の頭部４１を挿入して基部１２を回転することにより、上記の頭部４１が穴部４５に沿って小径部４４側へ移動し施錠される。このように、穴部４５及びピン４２は、施錠装置を構成している。
【００１３】
基部１２には、アンテナ部１１を介して取り込む信号または送出する信号に対して処理を行う回路として、増幅回路が設けられている。アンテナ部１１には先端にプラグ５２が設けられた同軸ケーブル５１が接続されており、一方、基部の側壁には増幅回路に接続されたレセプタクル５３が設けられており、上記同軸ケーブル５１の内周囲部分に形成されたネジとレセプタクル５３の外周部分に形成されたネジを螺合してアンテナ部１１と増幅回路とを接続して信号の増幅（処理）がなされるようにする。増幅回路は基部の底面に設けられた接続ケーブル５４を介して基地局の装置に接続される。
【００１４】
以上のように構成されたアンテナ装置１においては、アンテナ部１１の底部にネジ２３により連結部１３を結合する（図３）。この状態において、連結部１３の仕切面に形成された穴部４５に、基部１２の上面に形成されたピン４２の頭部４１を挿入して基部１２を回転することにより、上記の頭部４１が穴部４５に沿って小径部４４側へ移動し施錠される。
【００１５】
施錠装置により施錠された状態において、連結部１３の外周部に設けられたフック１４に環１５を引っ掛けてレバー１６を回動して施錠位置へ倒して、クランプ６による施錠を行い、アンテナ部１１と増幅回路が実装された基部とが一体化されたアンテナ装置１を得る。このアンテナ装置１は、アーム３１と取付金具３２及びナット３３を用いてポール２に取付られる。
【００１６】
アンテナ装置１の内、増幅回路の側に障害が発生した場合には、クランプ６による施錠を解錠する。このとき、ピン４２と穴部４５により構成される施錠装置による施錠がなされているので、基部１２が落下することはない。そこで、基部１２を装着時とは逆方向に回動して頭部４１が大径部４３の位置に到来するようにして、引き抜くことにより基部１２だけを取り外すことができる。従って、この場合にはアンテナ部１１の取付状態に変化がなく、基部１２の修理の後には基部１２をアンテナ部１１へ取り付ければ良い。
【００１７】
また、アンテナ部１１に障害があるときには、アンテナ装置１を取り外すことが必要であるが、この場合にも、アンテナ部１１を基部１２から上記と同様にして分離し修理することができ便利である。
【００１８】
なお、上記におけるクランプの構成部品のレバー１６等の稼動部側を連結部１３に設け、残りを基部１２側へ設けても良い。また、連結部の仕切面にピン４２を設け、基部１２の上面に穴部４５を形成しても良い。
【００１９】
【発明の効果】
以上説明したように本発明によれば、アンテナ部とこのアンテナ部を介して取り込む信号または送出する信号に対して処理を行う回路が設けられた基部とを、クランプにより着脱可能に結合したので、アンテナ部と基部とを容易に分離しまたは容易に結合することができ、故障箇所に合わせて簡単に取り外しを可能として、またアンテナ部の調整作業を最小限に抑えることができる。
【図面の簡単な説明】
【図１】本発明に係るアンテナ装置の取付状態を示す側面図。
【図２】本発明に係るアンテナ装置の要部の側面図。
【図３】本発明に係るアンテナ装置の要部の断面図。
【図４】本発明に係るアンテナ装置におけるアンテナ部の底面図。
【図５】本発明に係るアンテナ装置における連結部の底面図。
【図６】本発明に係るアンテナ装置における基部の平面図。
【符号の説明】
１　アンテナ装置
２　ポール
６　クランプ
１１　アンテナ部
１２　基部
１３　連結部
１４　フック
１５　環
１６　レバー
１７　軸
１８　バネ
２２　ネジ穴
２３　ネジ
３２　取付金具
４１　頭部
４２　ピン
４３　大径部
４４　小径部
４５　穴部
【図１】
2004056248.tif 000003
【図２】
2004056248.tif 000004
【図３】
2004056248.tif 000005
【図４】
2004056248.tif 000006
【図５】
2004056248.tif 000007
【図６】
2004056248.tif 000008